(57)【特許請求の範囲】
【請求項１】
時計とバンドを締結するための締結金具において、時計は一端カン足にバンドの一端が取り付けられ、向かい合った２つの他端カン足に、バンドの他端の両側壁に設けられ出没自在なピボットが係合する貫通孔が形成され、前記バンドの他端に設けられたピボットは先端が球体をなし、該ピボットが前記他端カン足の貫通孔に着脱自在に係合固定でき、前記時計の他端カン足外壁には、貫通孔の外側周囲に、指で前記ピボットを押圧して係合を解除するためのへこみが設けられていることを特徴とする締結金具の構造。
【請求項２】
一方のバンドと他方のバンドを締結するための締結金具において、一方のバンドの先端部に取り付けられ、向かい合った２つの係合板に、他方のバンドの先端部両側壁に設けられ出没自在なピボットが係合する貫通孔が形成され、前記他方のバンドの先端部両側壁に設けられたピボットは先端が球体をなし、該ピボットが前記係合板の貫通孔に着脱自在に係合固定でき、前記一方のバンドの係合板外壁には、貫通孔の外側周囲に、指で前記ピボットを押圧して係合を解除するためのへこみが設けられていることを特徴とする締結金具の構造。
【請求項３】
前記へこみが、球面状に形成されていることを特徴とする請求項１または２に記載の締結金具の構造。
【請求項４】
前記へこみが、略表示面から裏蓋方向にＵ字状に形成されていることを特徴とする請求項１または２に記載の締結金具の構造。
【請求項５】
前記へこみが、他端カン足の略先端から基部方向にＵ字状に形成されていることを特徴とする請求項１に記載の締結金具の構造。
【請求項６】
前記へこみが、係合板の先端からバンド長手方向にＵ字状に形成されていることを特徴とする請求項２に記載の締結金具の構造。
【請求項７】
時計とバンドを締結するための締結金具において、時計は一端カン足にバンドの一端が取り付けられ、向かい合った２つの他端カン足に、バンドの他端の両側壁に設けられ出没自在なピボットが係合する貫通孔が形成され、前記バンドの他端に設けられたピボットは先端が球体をなし、該ピボットが前記他端カン足の貫通孔に着脱自在に係合固定でき、前
記時計の他端カン足の向かい合った内壁には、前記貫通孔に向かって前記ピボットを案内する溝が設けられていることを特徴とする締結金具の構造。
【請求項８】
一方のバンドと他方のバンドを締結するための締結金具において、一方のバンドの先端部に取り付けられ、向かい合った２つの係合板に、他方のバンドの先端部両側壁に設けられ出没自在なピボットが係合する貫通孔が形成され、前記他方のバンドの先端部両側壁に設けられたピボットは先端が球体をなし、該ピボットが前記係合板の貫通孔に着脱自在に係合固定でき、前記一方のバンドの係合板の向かい合った内壁には、前記貫通孔に向かって前記ピボットを案内する溝が設けられていることを特徴とする締結金具の構造。
【請求項９】
前記溝が、略表示面から裏蓋方向にＵ字状に形成されていることを特徴とする請求項７または８に記載の締結金具の構造。
【請求項１０】
前記溝が、他端カン足の略先端から基部方向にＵ字状に形成されていることを特徴とする請求項７に記載の締結金具の構造。
【請求項１１】
前記溝が、係合板の先端からバンド長手方向にＵ字状に形成されていることを特徴とする請求項８に記載の締結金具の構造。
【請求項１２】
前記溝が、前記貫通孔から先端に向かって外側に広がる傾斜を持って設けられていることを特徴とする請求項７から１１のいずれか１つに記載の締結金具の構造。
【発明の詳細な説明】
【技術分野】
【０００１】
本発明は、時計とバンドの締結及び解除または一方のバンドと他方のバンドの締結及び解除を行うため、時計のカン足とバンドの端部に設けた締結金具の構造またはそれぞれのバンドの先端に設けた締結金具の構造に関するものである。
【背景技術】
【０００２】
時計とバンドの締結及び解除を行うものとして、図２６に示すような従来技術があった。この構造では、基部５２ａとその一端に回動自在に取り付けられた表板５２ｂとからなる折りたたみ式止金具５２を時計５０の１２時側に設け、バンド５４の端部を時計５０の６時側に取り付けると共にバンド５４の解放された先端部に貫通穴５４ａを設けている。この構造では、折りたたみ式止金具５２の表板５２ｂをバンド５４の下面方向から貫通穴５４ａに挿通し、表板５２ｂを基部５２ａに嵌合することで、バンド５４と時計５０を締結するものであった（特許文献１参照）。
【０００３】
しかしながら、図２６に示す構造では、時計５０とバンド５４との締結を解除する場合、指の先端又は爪を表板５２ｂに引っ掛けて開かなければならないため、指先を傷めたり、爪を割ったりすることがあった。また、時計５０とバンド５４を締結する場合、折りたたみ式止金具５２の表板５２ｂをバンド５４の下面方向から貫通穴５４ａに挿通し、且つ、表板５２ｂを回転させ基部５２ａに嵌合させることが必要なため、時計５０とバンド５４の締結が非常に面倒であった。特に、腕時計においては、この操作を片手で行わなければならないため、誤って時計５０を落として、時計５０を壊してしまう恐れがあった。また、時計５０やバンド５４とのデザインの統一や整合を図ることが難しく、デザイン性に劣り、高級感が得られなかった。
【０００４】
また、図２７に示すように、内蔵するピンによりストラップの端部５６を腕時計に取り付ける装置も提案されていた。この装置では、コイルバネ５８で内側に付勢されたピン６０を内蔵するスリーブ６２を円筒形外皮６４の両端に圧入固定し、ピン６０を斜面６６下端で押圧することで外側に押し出す制御部材６８を設けている。この制御部材６８は、コイルバネ７０により常に上方に押し上げられており、コイルバネ７０に抗して押し下げると、斜面６６に沿ってピン６０が内方に移動し、腕時計のカン足７２のピン固定穴７４からピン６０が外れて着脱自在となるものであった（特許文献２参照）。
【０００５】
しかしながら、図２７に示す装置では、構造が複雑で小型化が難しく、使用できる時計に制約が生じると共に、大きなコストアップになることが予測される。また、時計とバンドの締結及び解除を行う場合、制御部材６８を押圧しながら行わなければならず、操作性が非常に悪いものであった。
【特許文献１】実開昭４９−１２４０７９号公報
【特許文献２】特表２０００−５０５６６４号公報
【発明の開示】
【発明が解決しようとする課題】
【０００６】
本発明の課題は、上記問題点を解決し、簡単な構造で時計とバンドの締結及び解除または一方のバンドと他方のバンドの締結及び解除を容易にすることができ、その上、高級感がありデザイン性に優れた締結金具の構造を提供することにある。
【課題を解決するための手段】
【０００７】
本発明の締結金具の構造は、時計とバンドを締結するための締結金具において、時計は一端カン足にバンドの一端が取り付けられ、向かい合った２つの他端カン足に、バンドの他端の両側壁に設けられ出没自在なピボットが係合する貫通孔が形成され、前記バンドの他端に設けられたピボットは先端が球体をなし、該ピボットが前記他端カン足の貫通孔に着脱自在に係合固定でき、前記時計の他端カン足外壁には、貫通孔の外側周囲に、指で前記ピボットを押圧して係合を解除するためのへこみが設けられているものである。また、本発明の締結金具の構造は、一方のバンドと他方のバンドを締結するための締結金具において、一方のバンドの先端部に取り付けられ、向かい合った２つの係合板に、他方のバンドの先端部両側壁に設けられ出没自在なピボットが係合する貫通孔が形成され、前記他方のバンドの先端部両側壁に設けられたピボットは先端が球体をなし、該ピボットが前記係合板の貫通孔に着脱自在に係合固定でき、前記一方のバンドの係合板外壁には、貫通孔の外側周囲に、指で前記ピボットを押圧して係合を解除するためのへこみが設けられているものでもある。また、この締結金具の構造において、時計は一端カン足にバンドの一端が取り付けられ、向かい合った２つの他端カン足に、バンドの他端の両側壁に設けられ出没自在なピボットが係合する貫通孔が形成され、前記バンドの他端に設けられたピボットは先端が球体をなし、該ピボットが前記他端カン足の貫通孔に着脱自在に係合固定でき、前記時計の他端カン足の向かい合った内壁には、前記貫通孔に向かって前記ピボットを案内する溝が設けられているものでもある。また、この締結金具の構造において、一方のバンドの先端部に取り付けられ、向かい合った２つの係合板に、他方のバンドの先端部両側壁に設けられ出没自在なピボットが係合する貫通孔が形成され、前記他方のバンドの先端部両側壁に設けられたピボットは先端が球体をなし、該ピボットが前記係合板の貫通孔に着脱自在に係合固定でき、前記一方のバンドの係合板の向かい合った内壁には、前記貫通孔
に向かって前記ピボットを案内する溝が設けられているものでもある。
【発明の効果】
【０００８】
本発明によれば、基本的に出没自在なピボットを貫通孔に嵌脱するものであり、簡単な構造であるため製造が容易にでき、廉価で作ることができる。また、その締結操作も簡単で、時計とバンドの締結及び解除が容易にでき、時計を落下させることを極めて少なくすることができる。また、簡単な構造であるため、締結金具が壊れることが極めて少なくなり、その結果、耐久性を高めることができる。また、簡単な構造で外観もシンプルに仕上げることができるため、高級感があり、デザイン性の高い締結金具とすることができる。また、簡単な構造で小型化が容易であるため、各種時計等の製品に幅広く使用することができる。また、ピボットと貫通孔との係合を解除するプッシュボタンを設けることにより、操作性を向上させることができ、これにより締結解除操作を更に容易且つ確実にすることができる。
【発明を実施するための最良の形態】
【０００９】
本発明の締結金具は、時計とバンドを締結又は一対のバンドを締結するものである。時計とバンドを締結する場合、時計の端部から向かい合うように突出する一対の板状部によってそれぞれ構成される一端カン足と他端カン足のうち、一端カン足にバンドの一端を取り付け、他端カン足に貫通孔を形成している。また、バンドの他端の両側壁に出没自在なピボットを設け、球体からなるピボットの先端が他端カン足の貫通孔に着脱自在に係合固
定することで締結する。
【００１０】
また、一方のバンドの先端部と他方のバンドの先端部を締結する場合、一方のバンドの先端部に向かい合う一対の係合板を設け、この係合板に貫通孔を形成している。また、他方のバンドの先端部両側壁に出没自在なピボットを設け、球体からなるピボットの先端が係合板の貫通孔に着脱自在に係合固定することで締結する。
【００１１】
また、他端カン足側にプッシュボタンを設け、このプッシュボタンで貫通孔に係合しているピボットの先端を押圧するように構成している。
【００１２】
上記締結金具では、ピボットの先端を押し込むことで時計の他端カン足とバンドの他端又は一方のバンドの先端部と他方のバンドの先端部とを組み付け、ピボットの先端が貫通孔内に突出して係合することで、時計の他端カン足とバンドの他端又は一方のバンドの先端部と他方のバンドの先端部とを締結している。この締結状態は、ピボットの先端を直接又はプッシュボタンによって押圧して押し込み、ピボットの先端を貫通孔から外すことにより解除する。このように、本発明の締結金具の構造は、簡素で且つ操作し易いものとなっている。
【実施例１】
【００１３】
図１及び図２は本発明の実施例１に係る締結金具の構造を示す腕時計の斜視図、図３は図１に示す腕時計の正面図、図４は図１に示す締結金具の構成を示す断面図である。２は時計であって表面側に表示面２ａ、裏面側に裏蓋２ｂがあり、そのケース４の６時、１２時方向の端部には一端カン足６と他端カン足８がそれぞれ設けられている。この一端カン足６と他端カン足８は、それぞれ後述するバンドの端部幅よりもわずかに広い間隔をもって対向するように突出する一対の板状部６ａ，６ｂ，８ａ，８ｂにより構成されている。この他端カン足８には、その板状部８ａ，８ｂの略中央に貫通孔８ｃがそれぞれ設けられている。尚、一端カン足６の板状部６ａ，６ｂにも、バネ棒、ネジ等を取り付けるための孔６ｃがそれぞれ形成されている。
【００１４】
１０はリングを２つに分割し、中央部１０ｃにてヒンジのように回動自在に軸着したハーフバングルからなるバンドである。このバンド１０の一端１０ａは、略凸形状をなし、バンド幅方向に設けた貫通孔（図示せず）にバネ棒（図示せず）を通してその先端を一端カン足６の孔６ｃに嵌入する等の公知の構造により、回動自在に時計２の一端カン足６に取り付けられている。また、このバンド１０の解放端となる他端１０ｂには、出没自在なピボット１２が設けられている。このピボット１２は、他端１０ｂの両側壁から球体をなす先端が出没するように設けられたものであり、本実施例においては図４に示すように、ボール形をなす２つのピボット１２と、それらを外方に付勢するバネ１４とから構成されている。このピボット１２とバネ１４は、バンド１０の他端１０ｂ内に設けられた空洞部１０ｄ内に収められており、他端１０ｂの側壁にある開口部１０ｅからピボット１２の先端が突出するように設定されている。この開口部１０ｅは、図５に示すように、ボール形のピボット１２の直径よりもわずかに小さい径に設定されており、ピボット１２が空洞部１０ｄから飛び出すことを防いでいる。この場合、図６に示すように、バンド１０の裏面側に空洞部１０ｄの裏面開口部１０ｆを設け、この裏面開口部１０ｆからピボット１２とバネ１４を空洞部１０ｄ内に収納し、板状の蓋１０ｇを裏面開口部１０ｆに嵌め込んで固定するように構成すれば容易に組み立てることができる。また、図７及び図８に示すように、空洞部１０ｄの開口部１０ｅをピボット１２及びバネ１４よりも径大に設定して、ここからピボット１２及びバネ１４を空洞部１０ｄ内に収め、開口部１０ｅにピボット１２よりも径小となる孔１０ｉを有する押え板１０ｈを取り付けてピボット１２が飛び出すのを防ぐように構成することもできる。尚、蓋１０ｇ、押え板１０ｈは、ネジによる固定、接着、溶着（溶接）、カシメ等により取り付けられている。
【００１５】
また、前述した時計２の他端カン足８には、図１及び図９に示すように、その板状部８ａ，８ｂの外壁に略表示面から裏蓋方向に断面がＵ字状をなすへこみ８ｄが設けられている。このへこみ８ｄは、貫通孔８ｃに重なる位置に形成されており、貫通孔８ｃから突出するピボット１２の先端を指先で押圧し易くするために設けられている。
【００１６】
また、他端カン足８には、図1及び図９に示すように、その板状部８ａ，８ｂの向かい合う内壁に、他端カン足８の先端から略基部に向かって断面がＵ字状をなす溝８ｅが設けられている。この溝８ｅは、貫通孔８ｃに向かって形成されており、他端カン足８の先端付近から貫通孔８ｃの方向へピボット１２を導いて嵌合し易くするために設けられている。
【００１７】
上記構成からなる締結金具の構造においてこの締結金具を締結するには、バンド１０の他端１０ｂを時計２の他端カン足８の間に嵌め込む際に、ピボット１２を押し込むようにして嵌め込む。このときに、他端１０ｂ内に押し込まれたピボット１２は、その先端が溝８ｅにより導かれて他端カン足８の貫通孔８ｃに達すると貫通孔８ｃ内に突出する。これにより、ピボット１２が貫通孔８ｃに嵌り込んで締結金具が締結する。この状態において、他端カン足８のへこみ８ｄに指先を入れて２つのピボット１２を同時に押圧することにより、ピボット１２が貫通孔８ｃから外れ、他端カン足８からバンド１０の他端１０ｂを外して締結を解除することができる。
【実施例２】
【００１８】
図１０は本発明の実施例２に係る締結金具の構造を示す腕時計の斜視図、図１１は図１０に示す締結金具の断面図、図１２は図１０に示す時計２の他端カン足８を示す斜視図である。本実施例における締結金具の構造は、基本的に実施例１と同様の構造からなるものであり、ピボット２２の形状とへこみ８ｆの形状のみが実施例１と異なるものとなっている。即ち、ピボット２２は、図１０及び図１１に示すように、砲弾形に設定されている。このピボット２２も実施例１と同様にバネ２４によって外方に付勢されている。このピボット２２の場合、図１３に示すように、ピボット２２の空洞部１０ｄ内の端部に、空洞部１０ｄの開口部１０ｅよりも径大となる径大部２２ａを設けることで飛び出すことを防いでいる。尚、このピボット２２も、図６乃至図８に示す実施例１と同じ構造によりバンド１０の空洞部１０ｄに収めることができる。
【００１９】
一方、へこみ８ｆは、貫通孔８ｃの周囲に球面状をなすように形成されている。図１１に示すように、時計２の他端カン足８の貫通孔８ｃに嵌入したピボット２２は、へこみ８ｆ内に突出する。このため、貫通孔８ｃの周囲にへこみ８ｆを設けておけば、指先でピボット２２を押圧して締結解除する際に、ピボット２２を深く押し込むことができ、操作性を向上させることができる。尚、実施例１におけるへこみ８ｄも同様の作用、効果を有するものであるが、これに比べてへこみ８ｆの方がへこみ部分を目立たなくすることができ、デザインに応じてへこみ８ｄ，８ｆを使い分けることができる。
【００２０】
この実施例２においても、バンド１０の他端１０ｂを時計２の他端カン足８の間に嵌め込む際に、ピボット２２を押し込むようにして嵌め込む。このときにピボット２２の先端は、溝８ｅにより貫通孔８ｃに導かれ、貫通孔８ｃに達すると突出してピボット２２が貫通孔８ｃに嵌入し、締結する。また、へこみ８ｆに指先を入れて2つのピボット２２を同時に押圧することにより、ピボット２２を貫通孔８ｃから外して締結を解除することができる。
【実施例３】
【００２１】
図１４は本発明の実施例３に係る締結金具の構造を示す時計の斜視図、図１５は図１４
に示す締結金具の断面図、図１６は図１４に示す締結金具の斜視図である。本実施例における締結金具の構造は、実施例１及び２のように時計２とバンド１０を締結するのではなく、バンド２０を構成する一方のバンド２０Ａと他方のバンド２０Ｂを締結するものである。このバンド２０Ａ，２０Ｂは、リングを２つに分割したハーフバングルからなるものであり、一方のバンド２０Ａと他方のバンド２０Ｂのそれぞれの一端部２０ａ，２０ｂが時計３２の一端カン足３６と他端カン足３８にそれぞれバネ棒等の公知の構造により回動自在に取り付けられている。このバンド２０Ａ，２０Ｂの解放端となる先端部２０ｃ，２０ｄに締結金具が設けられていて、締結並びにその解除を可能としている。
【００２２】
一方のバンド２０Ａの解放端となる先端部２０ｃは、バンド２０Ｂの先端部２０ｄの幅よりもわずかに広い間隔をもって対向するように突出する一対の係合板２０ｇ，２０ｈより構成されている。この先端部２０ｃには、その係合板２０ｇ，２０ｈの略中央に貫通孔２０ｉがそれぞれ設けられている。
【００２３】
また、他方のバンド２０Ｂの解放端となる先端部２０ｄは略凸形状をなし、出没自在なピボット４２が設けられている。このピボット４２は、先端部２０ｄの両側壁から球体をなす先端が出没するように設けられたものであり、本実施例においては、図１５に示すように、砲弾形をなす２つのピボット４２と、それらを外方に付勢するバネ４４とから構成されている。このピボット４２とバネ４４は、先端部２０ｄ内に設けられた空洞部２０ｅ内に収められ、先端部２０ｄの側壁に設けられた開口部２０ｆからピボット４２の先端が突出するように設定されている。尚、このピボット４２も、図５乃至図８に示す実施例１の構造と同様の構造を用いることにより、ピボット４２の飛び出しを防ぐと共に容易に組み立て可能とすることができる。
【００２４】
また、前述した先端部２０ｃには、その係合板２０ｇ，２０ｈの外壁に先端からバンド長手方向に断面がＵ字状をなすへこみ２０ｊが設けられている。このへこみ２０ｊは、貫通孔２０ｉに重なる位置に形成されている。
【００２５】
また、この先端部２０ｃの係合板２０ｇ，２０ｈの向かい合う内壁には、略表示面から裏蓋方向に向かって断面がＵ字状をなす溝２０ｋが設けられている。
【００２６】
上記構成からなる締結金具の構造においてこの締結金具を締結するには、ピボット４２を押し込みながら先端部２０ｄを先端部２０ｃの係合部２０ｇ，２０ｈの間に表示方向又は裏蓋方向から嵌め込む。このときに先端部２０ｄ内に押し込まれたピボット４２は、その先端が溝２０ｋにより導かれて貫通孔２０ｉに達し、この貫通孔２０ｉ内に突出する。これにより、ピボット４２が貫通孔２０ｉに嵌入し、締結する。この状態において、へこみ２０ｊに指先を入れて２つのピボット４２を同時に押圧すると、ピボット４２が貫通孔２０ｉから外れ、先端部２０ｃから先端部２０ｄを外して締結解除することができる。
【実施例４】
【００２７】
図１８及び図１９は本発明の実施例４に係る締結金具の構造を示す時計の側面図、図２０は図１８に示す締結金具のＡ−Ａ断面図、図２１は図１９に示す締結金具の要部斜視図である。８２は時計であり、他の実施例と同様に、そのケース８４の６時、１２時方向の端部に一端カン足８６と他端カン足８８がそれぞれ設けられている。この一端カン足８６は、前述した実施例と同様の形状又は後述するバンドの端部が適合する凹形状等を有するものであり、バンドの端部が組み込まれるとバネ棒やネジ等の公知の手段によりバンドの端部が回動自在に取り付けられる。一方、他端カン足８８は、他の実施例と同様に、後述するバンドの端部幅よりもわずかに広い間隔をもって対向するように突出する一対の板状部８８ａ，８８ｂからなる。この他端カン足８８には、その板状部８８ａ，８８ｂの略中央に貫通孔８８ｃがそれぞれ設けられている。この貫通孔８８ｃは、図２０に示すように
、外方から内方に向かって３段階に内径が小さくなるように形成されている第１孔部８８ｄ、第２孔部８８ｅ、第３孔部８８ｆにより構成されている。
【００２８】
９０は貫通孔８８ｃ内に収められるプッシュボタンである。このプッシュボタン９０は、外方端の先端部９０ａが略砲弾形をなし、内方端に後述するバンドのピボットを押圧する押圧部９０ｂを有している。また、プッシュボタン９０は、押圧部９０ｂ付近の外周に環状に突出する環状突出部９０ｃを備えている。押圧部９０ｂは、貫通孔８８ｃの第３孔部８８ｆの内径よりもわずかに小さい外径を有し、後述するピボットに当接する端面がわずかに凸状をなすように形成されている。環状突出部９０ｃは、貫通孔８８ｃの第２孔部８８ｅ内に摺動自在に収められている。先端部９０ａは、貫通孔８８ｃの第２孔部８８ｅの内径よりも小さい外径を有し、第１孔部８８ｄから外方に突出するように設定されている。
【００２９】
９２は貫通孔８８ｃの第１孔部８８ｄに嵌め込まれて固定された止め板である。この止め板９２は、その中央に孔９２ａを有するリング状をなしている。この孔９２ａは、プッシュボタン９０の先端部９０ａの外径よりもわずかに大きく且つ環状突出部９０ｃの外径よりも小さい内径を有し、この孔９２ａからプッシュボタン９０の先端部９０ａが外方に突出するように設定されている。この止め板９２を第１孔部８８ｄに取り付けることにより、プッシュボタン９０は、その環状突出部９０ｃが第２孔部８８ｅと第３孔部８８ｆとの間の段部と止め板９２に当接することで、貫通孔８８ｃ内に摺動自在に閉じ込められることになる。尚、止め板９２は、接着、溶着（溶接）、カシメ等により他端カン足８８に取り付けられている。
【００３０】
１００はバンドであり、他の実施例と同様に、リングを２つに分割し、中央部１００ｃにてヒンジのように回動自在に軸着したハーフバングルからなる。このバンド１００の一端１００ａは、他の実施例と同様に、略凸形状をなし、バネ棒、ネジ等の公知の手段により一端カン足８６に回動自在に取り付けられている。このバンド１００の解放端となる他端１００ｂには、他の実施例と同様に、出没自在なピボット１０２が設けられている。このピボット１０２は、他端１００ｂの両側壁から先端が出没するように設けられたものであり、本実施例においては図２０に示すように、先端面が曲面をなす略円柱状の先端部１０２ａと、この先端部１０２ａよりも外径が大きく且つ端面方向が開口する凹部１０２ｃが設けられた基部１０２ｂとからなる。また、この一対のピボット１０２の間には、凹部１０２ｃに端部が嵌め込まれ、ピボット１０２を外方に付勢するコイルバネ１０４が設けられている。このピボット１０２とコイルバネ１０４は、バンド１００の他端１００ｂにそのバンド幅方向を向くように設けられた貫通孔１００ｄ内に収められている。この貫通孔１００ｄは、図２０中左方にある一方の端部がピボット１０２の先端部１０２ａに適合する内径に設定されており、中央部がピボット１０２の基部１０２ｂに適合する内径に設定されており、図２０中右方にある他方の端部が中央部より径大となるように設定されている。このため、ピボット１０２とコイルバネ１０４は、図２０中右方から貫通孔１００ｄ内に収められ、図２０中右方の端部にピボット１０２の先端部１０２ａに適合する孔を有するリング状の止め板１０６を取り付けることで、貫通孔１００ｄ内に留められている。このように貫通孔１００ｄ内に収められたピボット１０２は、貫通孔１００ｄの図２０中左方の端部及び止め板１０６の孔から先端部１０２ａがそれぞれ突出し、貫通孔１００ｄの中央部と左方の端部との間の段部及び止め板１０６に基部１０２ｂが当接して、ピボット１０２が貫通孔１００ｄから飛び出すことを防いでいる。尚、止め板１０６は、接着、溶着（溶接）、カシメ等により他端１００ｂに取り付けられている。
【００３１】
また、本実施例における他端カン足８８にも、他の実施例と同様に、その板状部８８ａ，８８ｂの向かい合う内壁に、他端カン足８８の先端から貫通孔８８ｃに向かって断面がU字形をなす溝８８ｇが設けられている。
【００３２】
上記構成からなる締結金具の構造においてこの締結金具を締結するには、バンド１００の他端１００ｂを時計８２の他端カン足８８の間に嵌め込む際に、ピボット１０２を押し込むようにして嵌め込む。このときに他端１００ｂ内に押し込まれたピボット１０２は、その先端が溝８８ｇにより導かれて他端カン足８８の貫通孔８８ｃの第３孔部８８ｆに達するとその第３孔部８８ｆ内に突出する。これにより、ピボット１０２の先端部１０２ａが貫通孔８８ｃの第３孔部８８ｆに嵌り込んで締結金具が締結する。このときに、ピボット１０２の先端部１０２ａとプッシュボタン９０の押圧部９０ｂは接触又は接触可能な状態になる。ここで、プッシュボタン９０の先端部９０ａを押圧して板状部８８ａ，８８ｂ内にプッシュボタン９０を押し込むと、プッシュボタン９０の押圧部９０ｂによりピボット１０２がバンド１００の他端１００ｂ内に押し込まれ、ピボット１０２と第３孔部８８ｆとの係合状態が解除される。これにより締結金具の締結は解除される。
【００３３】
上記のように、本実施例においては、他端カン足８８側にプッシュボタン９０を設け、このプッシュボタン９０の操作によってピボット１０２と第３孔部８８ｆとの係合を解除するように構成しているので、ピボット１０２のストロークに関係なくプッシュボタン９０の突出長やストロークを設定することができ、操作性を向上させることができる。また、係合状態に影響を及ぼすことなくプッシュボタン９０の形状等を様々に変更することができるので、時計やバンドに応じてボタン形状を変更することもできる。
【実施例５】
【００３４】
図２２及び図２３は本発明の実施例５に係る締結金具の構造を示す時計の側面図、図２４は図２２に示す締結金具のＢ−Ｂ断面図、図２５は図２３に示す締結金具の要部斜視図である。本実施例における締結金具は、実施例４とプッシュボタンの構造が異なるだけで、他の構造に関しては実施例４と同一である。このため、実施例４における締結金具と同一部分には同一の符号が付してある。
【００３５】
本実施例におけるプッシュボタン１０８は、球体を略半分に分断したような外形形状を有する操作部材１１０と、鋲形状をなす軸体１１２と、略筒状をなす保持部材１１４と、から構成されている。操作部材１１０は、その内側端面の中央に凹部１１０ａを有し、その周囲にリング状の溝１１０ｂを有している。また、軸体１１２は、保持部材１１４の凹部１１０ａに嵌合される軸部１１２ｂと、ピボット１０２を押圧する径大の押圧部１１２ａを有している。また、保持部材１１４は、径大の固定部１１４ａと、この固定部１１４ａより径小となる筒部１１４ｂと、固定部１１４の中央に設けられた孔１１４ｃを有している。尚、このプッシュボタン１０８が収められる本実施例の貫通孔８８ｃは、ピボット１０２に対面する内側孔部８８ｈが径小で、外方にある外側孔部８８ｉが径大となっている。
【００３６】
このプッシュボタン１０８は、軸体１１２の軸部１１２ｂを保持部材１１４の孔１１４ｃに通して筒部１１４ｂ内に突出させ、この軸部１１２ｂを操作部材１１０の凹部１１０ａに嵌め込んで固定し、このときに筒部１１４ｂが操作部材１１０の溝１１０ｂに挿入されることで組み立てられる。保持部材１１４の孔１１４ｃの径は、軸体１１２の軸部１１２ｂよりわずかに大きく押圧部１１２ａより小さく設定されているため、軸部１１２ｂの先端が操作部材１１０の凹部１１０ａに嵌め込まれて固定されると、保持部材１１４に対して操作部材１１０と軸体１１２が摺動するように組み付けられる。
【００３７】
このプッシュボタン１０８は、貫通孔８８ｃの内側孔部８８ｈと外側孔部８８ｉの間にある段部に、保持部材１１４の固定部１１４ａを接着、溶着（溶接）、カシメ等により固定することにより、板状部８８ａ，８８ｂに取り付けられる。この板状部８８ａ，８８ｂに取り付けられたプッシュボタン１０８は、その軸体１１２の押圧部１１２ａが内側孔部
８８ｈ内に収まり、保持部材１１４と操作部材１１０が外側孔部８８ｉ内に収まることになる。
【００３８】
上記構成からなる締結金具の構造においてこの締結金具を締結するには、他の実施例と同様に、バンド１００の他端１００ｂを時計８２の他端カン足８８に嵌め込む。このときにピボット１０２が一旦押し込まれ、その先端が溝８８ｇにより導かれて他端カン足の貫通孔８８ｃの内側孔部８８ｈに達するとその中に突出し、締結金具が締結する。このときに、ピボット１０２の先端部１０２ａとプッシュボタン１０８の軸体１１２の押圧部１１２ａは接触又は接触可能な状態になる。ここで、操作部材１１０を押圧して、板状部材８８ａ，８８ｂ内に押し込むと、この操作部材１１０と共に軸体１１２が押し込まれ、その押圧部１１２ａによりピボット１０２が他端１００ｂ内に押し込まれる。これにより、ピボット１０２と内側孔部８８ｈとの係合状態が解除され、締結金具の締結は解除される。
【００３９】
上記本実施例においては、貫通孔８８ｃの内部にある保持部材１１４を固定することでプッシュボタン１０８を板状部８８ａ，８８ｂに取り付けているので、プッシュボタン１０８の周囲に固定するための部品が見えず、外観をシンプルに整えることができる。
【００４０】
尚、上記実施例１及び２において、そのへこみ８ｄ，８ｆを実施例３におけるへこみ２０ｊのように先端からバンド長手方向に向かって形成することは可能であり、また、実施例３におけるへこみ２０ｊを実施例１及び２におけるへこみ８ｄ，８ｆのように略表示面から裏蓋方向又は貫通孔周囲に形成することも可能である。
【００４１】
また、実施例１及び２における溝８ｅを実施例３における溝２０ｋのように略表示面から裏蓋方向に形成することは可能であり、また、実施例３における溝２０ｋを実施例１及び２における溝８ｅのように略先端から基部の方向に形成することも可能である。更に、ピボットを導き易くするため、溝８ｅ，２０ｋを、貫通孔８ｃ，２０ｉから先端に向かって外側に広がる傾斜を持つように形成してもよい。
【００４２】
また、上記実施例１乃至３において、ピボット１２，２２，４２が嵌入する貫通孔８ｃ，２０ｉを、バンド長手方向に複数設けて、ピボット１２，２２，４２を取り付ける位置を選ぶことにより、バンド１０，２０の長さを調節可能とすることができる。例えば、図１７に示すように、バンド２０Ａの先端部２０ｃにおける係合板２０ｇ，２０ｈに、それぞれ貫通孔２０ｍ，２０ｎ，２０ｐをバンド長手方向に並べて形成し、これにバンド２０Ｂの先端部２０ｄに設けられたピボット４２を嵌入する。ここでピボット４２を貫通孔２０ｍに嵌入すればバンド２０を最も長くすることができ、貫通孔２０ｐに嵌入すれば最も短くすることができる。
【００４３】
また、実施例１乃至５において、ハーフバングルからなるバンドを用いているが、本発明の締結金具を使用することができるバンドは、バングル又はハーフバングルに限らず、各種バンドに使用することができる。
【００４４】
また、実施例４，５におけるプッシュボタン９０，１０８に関する構造は、そのまま実施例３に示すようなバンドを連結する締結金具に用いることもできる。
【産業上の利用可能性】
【００４５】
本発明の締結金具の構造は、実施例に示すように時計とバンドまたは一方のバンドと他方のバンドを締結するために使用するだけでなく、ブレスレット等の装身具にも用いることができる。
【図面の簡単な説明】
【００４６】
【図１】本発明の実施例１に係る締結金具の構造を示す腕時計の斜視図である。
【図２】本発明の実施例１に係る締結金具の構造を示す腕時計の斜視図である。
【図３】図１に示す腕時計の正面図である。
【図４】図１に示す締結金具の断面図である。
【図５】図４等に示すピボット周囲の拡大断面図である。
【図６】図４等に示すバンドの先端部の一構造を示す斜視図である。
【図７】図４等に示すバンドの先端部の他の構造を示す断面図である。
【図８】図７に示すバンドの先端部の斜視図である。
【図９】図１に示す他端カン足を示す拡大斜視図である。
【図１０】本発明の実施例２に係る締結金具の構造を示す腕時計の斜視図である。
【図１１】図１０に示す締結金具の断面図である。
【図１２】図１０に示す他端カン足を示す拡大斜視図である。
【図１３】図１１等に示すピボット周囲の拡大断面図である。
【図１４】本発明の実施例３に係る締結金具の構造を示す腕時計の斜視図である。
【図１５】図１４に示す締結金具の断面図である。
【図１６】図１４に示すバンドの先端部を示す斜視図である。
【図１７】図１４等に示す締結金具の一部変更例を示す斜視図である。
【図１８】本発明の実施例４に係る締結金具の構造を示す時計の側面図である。
【図１９】本発明の実施例４に係る締結金具の構造を示す時計の側面図である。
【図２０】図１８に示す締結金具のＡ−Ａ断面図である。
【図２１】図１９に示す締結金具の要部斜視図である。
【図２２】本発明の実施例５に係る締結金具の構造を示す時計の側面図である。
【図２３】本発明の実施例５に係る締結金具の構造を示す時計の側面図である。
【図２４】図２２に示す締結金具のＢ−Ｂ断面図である。
【図２５】図２３に示す締結金具の要部斜視図である。
【図２６】従来の時計とバンドの締結構造を示す斜視図である。
【図２７】従来の時計とバンドの締結構造を示す要部断面図である。
【符号の説明】
【００４７】
２，３２，８２  時計
２ａ  表示面
２ｂ  裏蓋
４，８４    ケース
６，３６，８６  一端カン足
６ａ，６ｂ  板状部
６ｃ  孔
８，３８，８８  他端カン足
８ａ，８ｂ，８８ａ，８８ｂ  板状部
８ｃ，８８ｃ  貫通孔
８ｄ，８ｆ  へこみ
８ｅ，８８ｇ  溝
１０，２０，１００  バンド
１０ａ，１００ａ  一端
１０ｂ，１００ｂ  他端
１０ｃ，１００ｃ  中央部
１０ｄ  空洞部
１０ｅ  開口部
１０ｆ  裏面開口部
１０ｇ  蓋
１０ｈ  押え板
１０ｉ  孔
１２，２２，４２，１０２  ピボット
１４，２４，４４，１０４  バネ
２０Ａ，２０Ｂ  バンド
２０ａ，２０ｂ  一端部
２０ｃ，２０ｄ  先端部
２０ｅ  空洞部
２０ｆ  開口部
２０ｇ，２０ｈ  係合板
２０ｉ，２０ｍ，２０ｎ，２０ｐ  貫通孔
２０ｊ  へこみ
２０ｋ  溝
２２ａ  径大部
５０  時計
５２  折りたたみ式止金具
５２ａ  基部
５２ｂ  表板
５４  バンド
５４ａ  貫通穴
５６  端部
５８  コイルバネ
６０  ピン
６２  スリーブ
６４  円筒形外皮
６６  斜面
６８  制御部材
７０  コイルバネ
７２  カン足
７４  ピン固定穴
８８ｄ  第１孔部
８８ｅ  第２孔部
８８ｆ  第３孔部
８８ｉ  外側孔部
８８ｈ  内側孔部
９０  プッシュボタン
９０ａ  先端部
９０ｂ  押圧部
９０ｃ  環状突出部
９２  止め板
９２ａ  孔
１０２ａ  先端部
１０２ｂ  基部
１０２ｃ  凹部
１０６  止め板
１０８  プッシュボタン
１１０  操作部材
１１０ａ  凹部
１１０ｂ  溝
１１２  軸体
１１２ａ  押圧部
１１２ｂ  軸部
１１４  保持部材
１１４ａ  固定部
１１４ｂ  筒部
１１４ｃ  孔
【図１】
0004787009.tif 000002
【図２】
0004787009.tif 000003
【図３】
0004787009.tif 000004
【図４】
0004787009.tif 000005
【図５】
0004787009.tif 000006
【図６】
0004787009.tif 000007
【図７】
0004787009.tif 000008
【図８】
0004787009.tif 000009
【図９】
0004787009.tif 000010
【図１０】
0004787009.tif 000011
【図１１】
0004787009.tif 000012
【図１２】
0004787009.tif 000013
【図１３】
0004787009.tif 000014
【図１４】
0004787009.tif 000015
【図１５】
0004787009.tif 000016
【図１６】
0004787009.tif 000017
【図１７】
0004787009.tif 000018
【図１８】
0004787009.tif 000019
【図１９】
0004787009.tif 000020
【図２０】
0004787009.tif 000021
【図２１】
0004787009.tif 000022
【図２２】
0004787009.tif 000023
【図２３】
0004787009.tif 000024
【図２４】
0004787009.tif 000025
【図２５】
0004787009.tif 000026
【図２６】
0004787009.tif 000027
【図２７】
0004787009.tif 000028